(57)【特許請求の範囲】
【請求項１】
垂直偏向周波数を有するパラボラ変調信号の源と、
水平偏向周波数を有するのこぎり波信号の源と、
前記パラボラ変調信号と前記のこぎり波信号とに応答して、前記水平偏向周波数に関連する周波数を有し前記パラボラ変調信号に応じて変調された出力信号を生成する変調器と、
巻線に結合されており、前記出力信号に応答して、陰極線管内のビーム到達誤差を補正する磁界を発生させる増幅器と、
前記変調器の入力に供給されて前記出力信号の振幅を制御する調整信号を生成する調整手段と、から成り、
前記調整手段が、垂直帰線消去期間の発生を示す信号（ＶＲＴＰＵＬ）と水平帰線消去期間の発生を示す信号（ＨＲＴＰＵＬ）とに応答し、これらの信号が同時に発生するとき、前記出力信号をサンプリングし、前記出力信号の振幅を負帰還態様で制御してその振幅を最小にする、ビデオ表示用偏向装置。
【発明の詳細な説明】
【０００１】
【産業上の利用分野】
本発明は、ビデオ表示装置の偏向装置に使用する波形発生器に関する。
【０００２】
【発明の背景】
例えば、投射型テレビジョン受像機の陰極線管（ＣＲＴ）において緑ラスターを発生する電子ビームに関する左右糸巻きひずみを補正するために、また青および赤ラスターを発生する電子ビームに関するコンバーゼンス不良を補正するために、コンバーゼンス巻線が使用される。コンバーゼンス巻線は、垂直周波数のパラボラ状に変化する振幅を有し、水平周波数ののこぎり波電流成分により駆動される。のこぎり波電流成分の波形は４象限アナログ乗算器で発生される。このアナログ乗算器は、第１の入力において垂直周波数のパラボラ信号を受け取り、第２の入力において水平周波数ののこぎり波信号を受け取る。
【０００３】
垂直帰線消去の間、垂直周波数のパラポラ信号は、乗算によって乗算器ののこぎり波出力信号の最小のピーク・ピーク（ｐｅａｋ−ｔｏ−ｐｅａｋ）振幅を発生するレベルにある。
【０００４】
都合の悪いことに、例えば、許容誤差、ドリフトおよび構成要素の劣化が原因で、乗算器は不平衡状態で動作することがあり、これは第１の入力において直流電圧シフトまたはオフセットを有することに等しい。その結果、出力信号のピーク・ピーク振幅は、垂直帰線消去の間、最小にならないことがある。このような不平衡動作は望ましくない。
【０００５】
或る従来技術による構成の場合、不平衡状態を補償するように、サービス（ｓｅｒｖｉｃｅ）調節可能な直流入力オフセット電圧が乗算器の入力に導入されている。不都合なことに、温度変化および構成要素の老化により、このような不平衡状態が乗算器に再び発生され、これはサービス調節がなければ補正することができない。
【０００６】
例えば、各垂直帰線消去期間の間、乗算器を周期的に調整して、上述の不平衡が自動的に排除されるようにすることが望ましい。
【０００７】
【発明の概要】
本発明の特徴を具体化する、ビデオ表示用偏向装置は、垂直偏向周波数に関連する周波数のパラボラ変調信号源と、水平偏向周波数に関連する周波数ののこぎり波信号源とを含んでいる。変調器が、パラボラ変調信号とのこぎり波信号に応答し、このパラボラ変調信号に従って変調され、水平偏向周波数に関連する周波数の出力信号を発生する。増幅器がこの出力信号に応答し、巻線に結合されて陰極線管におけるビーム到達誤差（ｂｅａｍ  ｌａｎｄｉｎｇ  ｅｒｒｏｒ）を補正する磁界を発生する。変調器の入力に結合される調整信号が発生されて、垂直帰線消去期間と水平帰線消去期間とが同時に発生する間、負帰還状態で出力信号の振幅を出力信号の最大振幅から最小振幅に減少させる。
発明の構成
垂直偏向周波数を有するパラボラ変調信号（ＶＰＡＬ１）の源と、
水平偏向周波数を有するのこぎり波信号（ＨＳＡＷ）の源と、
前記パラボラ変調信号と前記のこぎり波信号とに応答して、前記水平偏向周波数に関連する周波数を有し前記パラボラ変調信号に応じて変調された出力信号（ＯＵＴ）を生成する変調器（１１０）と、
巻線（ＲＨ）に結合されており、前記出力信号に応答して、陰極線管内のビーム到達誤差を補正する磁界を発生させる増幅器（１２０）と、
前記変調器（１１０）の入力（２）に供給されて前記出力信号（ＯＵＴ）の振幅を制御する調整信号（ＶＣＡＬ）を生成する調整手段（１００）と、から成り、
前記調整手段（１００）が、垂直帰線消去期間の発生を示す信号（ＶＲＴＰＵＬ）と水平帰線消去期間の発生を示す信号（ＨＲＴＰＵＬ）とに応答し、これらの信号が同時に発生するとき、前記出力信号（ＯＵＴ）をサンプリングし、前記出力信号（ＯＵＴ）の振幅を負帰還態様で制御してその振幅を最小にする、ビデオ表示用偏向装置。
発明の効果
垂直帰線消去期間の間、変調器の出力信号の振幅が最小になり、変調器が不平衡状態で動作することが自動的に排除される。
【０００８】
【実施例】
図１は、投射型テレビジョン受像機において、本発明の特徴を具体化するコンバーゼンス／左右補正回路１００を示す。従来の方法（図示せず）で発生される水平周波数ののこぎり波信号ＨＳＡＷは、ピン１とピン５の間でアナログ乗算器１１０の入力に交流結合され、交流成分と直流成分を含んでいるのこぎり波信号Ｖ１５を形成する。
【０００９】
従来の方法（図示せず）により発生される垂直周波数のパラボラ信号ＶＰＡＬ１は、抵抗Ｒ１９と抵抗Ｒ２０で形成される分圧器を介して結合され、それから電解コンデンサＣ１０を介して乗算器１１０のピン３に交流結合されて、交流パラボラ信号成分ＶＰＡＬ２を形成する。信号成分ＶＰＡＬ２は、乗算器１１０のトランジスタＱ９のベースとトランジスタＱ１１のベースの両方に発生する。乗算器１１０のピン２に結合される大コンデンサＣ１１は、パラボラ信号成分ＶＰＡＬ２を基準にして、ピン２を一定の電位または交流大地電位に維持する。従って、交流信号成分ＶＰＡＬ２は、乗算器１１０のピン３とピン２の間で、交流／直流合成信号Ｖ２３の抵抗Ｒ２１の両端に発生する。
【００１０】
直流信号成分ＶＤＩＦＦは、乗算器１１０のピン２とピン３の間で、抵抗Ｒ２１の両端に発生する。直流信号成分ＶＤＩＦＦは、抵抗Ｒ７の両端間の一定の電圧Ｖ１１１９、抵抗Ｒ２１とＲ１１の比率、また調整信号ＶＣＡＬのレベルにより決まる。抵抗Ｒ２１の両端の交流／直流合成信号Ｖ２３は、交流信号成分ＶＰＡＬ２と直流信号成分ＶＤＩＦＦの和に等しい。
【００１１】
変調器として動作するアナログ乗算器１１０は、信号Ｖ２３と信号Ｖ１５の瞬時値の積に従って変化するのこぎり波出力信号ＯＵＴを発生する。直流電圧成分を有する信号ＯＵＴは、ポテンシオメータ１２１を介して普通の方法で前置増幅器１２０に交流結合される。コンバーゼンスを達成するために従来の方法で前置増幅器１２０に結合される他の波形は、図面を簡単にするために図示されていない。増幅器１２０の出力信号１２２の振幅および位相（０°または１８０°）を出力信号ＯＵＴに関して制御するためにポテンシオメータ１２１が調節される。信号１２２は、電力増幅器１２３を介して、対応するコンバーゼンスコイル（例えば、コンバーゼンスコイルＲＨ、ＢＨまたはＧＨ）に結合されて、対応するコンバーゼンス電流ｉＣＶをコイルに発生する。電流ｉＣＶは左右糸巻きひずみの補正を行う。電流ｉＣＶは、緑ビームに加えられると幾何学的形状を補正し、青ビームまたは赤ビームに加えられるとコンバーゼンスが得られる。
【００１２】
信号ＶＣＡＬが変化すると、それに対応して直流成分信号ＶＤＩＦＦが変化する。信号ＶＤＩＦＦは、パラボラ信号ＶＰＡＬ２のどの期間の間に出力信号ＯＵＴのピーク・ピーク振幅が最小になるかを決定する。乗算器１１０は、調整されると、垂直帰線消去期間（ＴＶＢＬＫ）の間、信号ＶＰＡＬ２に従って、最小値にあり且つ所定の位相にある出力信号ＯＵＴのピーク・ピーク振幅を発生する。
【００１３】
本発明の特徴に従って、調整信号ＶＣＡＬは帰還制御ループ動作モードで自動的に発生される。調整信号ＶＣＡＬを発生するために、出力信号ＯＵＴは、トランジスタＱ２０と共に差動増幅器を形成するトランジスタＱ１９のベースに結合される。トランジスタＱ２０のベース電圧は、抵抗Ｒ２３とコンデンサＣ１２で形成される低域フィルタを介して出力信号ＯＵＴを通過させることにより発生される。その結果、トランジスタＱ２０のベース電圧は、交流成分信号を含まず、トランジスタＱ１９のベース電圧の平均値に等しい直流の大きさを有する。
【００１４】
１対のトランジスタ・スイッチＱ２１とＱ２２は直列に結合され、両方のトランジスタ・スイッチＱ２１とＱ２２が導通すると、トランジスタＱ１９とＱ２０の一方または両方に抵抗Ｒ２２を介してエミッタ電流が発生する。トランジスタ・スイッチＱ２２は、垂直帰線消去期間（ＴＶＢＬＫ）の間のみ、垂直帰線消去信号（ＶＲＴＰＵＬ）によりオンにされる。トランジスタ・スイッチＱ２１は、水平帰線消去期間（ＴＨＢＬＫ）の間だけ、信号ＨＳＡＷの対応するピーク部において水平リトレースパルス（ＨＲＴＰＵＬ）によりオンにされる。信号ＨＳＡＷのこのようなピーク部は、リトレース部とトレース傾斜部ＨＳＡＷの間で起こる。ほぼ平坦であり一定であるＨＳＡＷ信号のピークの間に、トランジスタ・スイッチＱ１はオンになる。
【００１５】
トランジスタＱ２０のコレクタはトランジスタＱ２３のベースに結合されて、トランジスタＱ２０が導通している時にトランジスタＱ２３をオンにし、トランジスタＱ２０が導通していない時にはトランジスタＱ２３は導通していない。エミッタ抵抗Ｒ２４がトランジスタＱ２３のエミッタに結合される。トランジスタＱ２３がトランジスタＱ２０によってオンにされている時にトランジスタＱ２３のエミッタ／コレクタ電流は抵抗Ｒ２４によって決まる。トランジスＱ２０とトランジスタＱ２３が導通している時に、トランジスタＱ２３のコレクタはコンデンサＣ１１に結合されてコンデンサＣ１１を充電する。抵抗Ｒ２５と抵抗Ｒ２６で形成される分圧器はコンデンサＣ１１に所定の直流電圧を発生する。定常状態の動作の場合、トランジスタＱ２３は、信号ＶＣＡＬの電圧レベルを抵抗Ｒ２５とＲ２６により発生されるレベル以上に増加させるコレクタ電流を発生する。トランジスタ・スイッチＱ２１とＱ２２の両方がオンになっている時に、トランジスタＱ２０のコレクタ電流は、前に説明したように、水平帰線消去期間（ＴＨＢＬＫ）の間に生じるのこぎり波信号ＯＵＴの平坦部（図示せず）のレベルと、トランジスタＱ１９のベース電圧で発生する信号ＯＵＴの平均値との差によって決まる。トランジスタＱ１９とＱ２０のベース電圧の差は、垂直帰線消去期間（ＴＶＢＬＫ）の間、信号ＯＵＴのピーク・ピーク振幅に比例する。トランジスタＱ１９とトランジスタＱ２０のベース電圧の差は、トランジスタＱ２３の導通を制御するためにサンプリングされる。
【００１６】
垂直帰線消去期間（ＴＶＢＬＫ）の間、信号ＯＵＴのピーク・ピーク振幅が増加する傾向にあれば、トランジスタＱ２３は、より十分に且つより長い期間の間オンになり、直流信号ＶＣＡＬを増加させるようになる。このようにして、垂直帰線消去期間（ＴＶＢＬＫ）の間、信号ＯＵＴのピーク・ピーク振幅は自動的に減少する。また、水平帰線消去期間（ＴＨＢＬＫ）の間、信号ＯＵＴが要求される極性と逆の極性であれば、トランジスタＱ２３はオンにならず、信号ＶＣＡＬは、信号ＶＣＡＬが極性を逆転させるのに充分なだけ小さくなるまで減少する。従って、定常状態の動作では、垂直帰線消去期間（ＴＶＢＬＫ）の間、信号ＯＵＴの位相は所定の位相であり、その振幅は、帰還ループ利得により制御され、最小値にある。
【図面の簡単な説明】
【図１】本発明の特徴を具体化する、投射型テレビジョン受像機のコンバーゼンス／左右糸巻きひずみ補正回路をブロック図で示す。
【符号の説明】
１００    コンバーゼンス／左右糸巻きひずみ補正回路
１１０    乗算器
１２０    前置増幅器
１２１    ポテンシオメータ
１２３    電力増幅器
【図１】
0003574187.tif 000002